(57)【要約】【課題】  インターネットを利用して希望する商品と共にそれら商品の消耗品等の販売も合わせて行い、同時に消耗品等の購入データに基づいて購入した商品に最適な消耗品等を購入者に随時提供できる商品販売システムを提供する。【解決手段】  販売者が販売する商品とこれらの商品の消耗品等を予め登録して、インターネットのホームページに表示可能な商品登録手段を構成し、上記商品登録手段は、上記商品購入時に連続して表示されるセット消耗品等データベース１１，１３，１５・・と、一般消耗品等データベース２０を有すると共に、このセット消耗品等のデータと一般消耗品等のデータを管理するデータ管理手段３０が設けられていて、上記販売者のホームページに表示された商品等を購入指示できる購入手段２を構成し、上記商品登録手段と購入手段を相互に接続するネットワーク５を構成した。【選択図】図１
2005322147.tif 000002
【特許請求の範囲】
【請求項１】
販売者が販売する商品とこれらの商品の消耗品等を予め登録して、インターネットのホームページに表示可能な商品登録手段を構成し、
上記商品登録手段は、上記商品購入時に連続して表示されるセット消耗品等のデータを記憶したセット消耗品等データベースと、一般消耗品等のデータを記憶した一般消耗品等データベースを有すると共に、このセット消耗品等のデータと一般消耗品等のデータを管理するデータ管理手段が設けられていて、
上記販売者のホームページに表示された商品や消耗品等を、購入者が選択して購入指示できる購入手段を構成し、上記商品登録手段と購入手段を相互に接続するネットワークを構成してなり、
上記データ管理手段が、セット消耗品等データベースに蓄積されたセット消耗品等の購入データに基づき、予め定めた一定条件に基づいてセット消耗品等を一般消耗品等データベースに移動させ、
あるいは一般消耗品等データベースに蓄積された一般消耗品等の購入データに基づき、予め定めた一定条件に基づいて一般消耗品等をセット消耗品等データベースに移動させることを特徴とする商品販売システム。
【発明の詳細な説明】
【技術分野】
【０００１】
本発明は、インターネット等の通信回線を利用してプリンタ等の商品と共にインク、リボン等の消耗品あるいはケーブル等の付属品（以下、消耗品等という）の販売も合わせて行う商品販売システムに関するものである。
【背景技術】
【０００２】
従来よりインターネットを利用して特定商品と関連商品を同時に販売する商品販売システムが提案されていた。
【特許文献１】特開２００１−２９１０１８
【０００３】
従来の商品販売システム、例えば特開２００１−２９１０１８に示すものは、ホームページに予め特定商品と関連商品が掲載されていて、購入者が購入者端末を操作して特定商品カタログと関連商品カタログを同時に表示しつつ、関連商品を指定して購入するものである。
上記のような商品販売システムは主として関連商品の販売情報に基づいて、関連商品の販売センターから特定商品の販売センターへ販売仲介料を払うことを目的とするものである。
また、この商品販売システムでは、特定商品カタログと関連商品カタログが同時に表示されるため、購入者の商品選択に時間がかかるとともに、購入した特定商品に最も適した関連商品が示されていないため、特定商品に対する最適な消耗品等を購入できない等の問題点があった。
【発明の開示】
【発明が解決しようとする課題】
【０００４】
本発明は上記の点に鑑みなされたものであり、インターネットを利用して希望する商品と共にそれら商品の消耗品等の販売も合わせて行い、同時に消耗品等の購入データに基づいて購入した商品に最適な消耗品等を購入者に随時提供できる商品販売システムを提供するものである。
【課題を解決するための手段】
【０００５】
本発明の要旨とするところは、販売者が販売する商品とこれらの商品の消耗品等を予め登録して、インターネットのホームページに表示可能な商品登録手段を構成し、
上記商品登録手段は、上記商品購入時に連続して表示されるセット消耗品等のデータを記憶したセット消耗品等データベースと、一般消耗品等のデータを記憶した一般消耗品等データベースを有すると共に、このセット消耗品等のデータと一般消耗品等のデータを管理するデータ管理手段が設けられていて、
上記販売者のホームページに表示された商品や消耗品等を、購入者が選択して購入指示できる購入手段を構成し、上記商品登録手段と購入手段を相互に接続するネットワークを構成してなり、
上記データ管理手段が、セット消耗品等データベースに蓄積されたセット消耗品等の購入データに基づき、予め定めた一定条件に基づいてセット消耗品等を一般消耗品等データベースに移動させ、
あるいは一般消耗品等データベースに蓄積された一般消耗品等の購入データに基づき、予め定めた一定条件に基づいて一般消耗品等をセット消耗品等データベースに移動させることを特徴とする商品販売システムにある。
【発明の効果】
【０００６】
商品の購入と同時に当該商品に適した消耗品等を購入できるため、商品の購入後直ちに作動環境を最適にして使用することができると共に、購入者の消耗品等の購入意欲を刺激して消耗品等の売上を伸ばすことができる。また、購入者に商品と消耗品等の両方を同時に購入させることによって、購入者は消耗品等を別途購入する手間がなくなると共に、消耗品等の買い忘れにより商品の使用が出来なくなることがなくなった。
さらには、消耗品等の販売数の増減を管理することによって、商品を購入する際に表示されるセット消耗品のデータが自動的に入れ替わり、常に現在の売れ筋商品を提供することができる。また、同時に販売者は消耗品等の商品管理を自動的に行うことができるのである。
【発明を実施するための最良の形態】
【０００７】
本発明を実施するための最良の形態は、販売者が販売する商品とこれらの商品の消耗品等を予め登録して、インターネットのホームページに表示可能な商品登録手段を構成する。この商品登録手段は、上記商品購入時に連続して表示されるセット消耗品等のデータを記憶したセット消耗品等データベースを有すると共に、一般消耗品等のデータを記憶した一般消耗品等データベースを有する。そして、このセット消耗品等のデータと一般消耗品等のデータを管理するデータ管理手段が設けられている。さらに、上記販売者のホームページに表示された商品や消耗品等を、購入者が選択して購入指示できる購入手段である購入者端末を構成する。
そして、上記商品登録手段である販売者コンピュータと購入者端末と商品や消耗品等の配送を行なう配送コンピュータ及び決済機関の決済コンピュータを相互に接続するネットワークを構成してなる。
【実施例】
【０００８】
図１は本発明の商品販売システムの一実施例を示すブロック図、図２は同フローチャート、図３は購入者端末に表示される消耗品等の一例を示す説明図である。
【０００９】
以下図面を参照しながら本実施例を説明する。
本実施例の商品販売システムは、図１に示すように、商品登録手段である販売者コンピュータ１と、購入手段である購入者端末２と、配送センターの配送コンピュータ３及び金融機関の決済コンピュータ４がネットワーク５で接続されている。
【００１０】
上記販売者コンピュータ１は、販売者の商品登録手段の機能を有している。ここには商品のデータベース１１、１３、１５、・・と、これら商品データベースと連動して作動するセット消耗品等データベース１２、１４、１６、・・が内蔵されている。
上記商品とは、例えばコンピュータ、プリンタ、スキャナ等、販売者が販売するあらゆる商品を含む。そしてセット消耗品等とは、例えばケーブル、インク、リボン、ペーパー等の消耗品や附属品のうち、上記各々の商品の仕様等に対応し、かつ現在最も売れている最適なものを指し、後述のように商品購入時に連続した操作によって同時に購入することができるものである。
【００１１】
さらに上記販売者コンピュータ１の内部には、一般消耗品等データベース２０を内蔵している。この一般消耗品等データベース２０には、販売者の販売する各商品に使用するあらゆる消耗品等を商品群ごとに羅列したものであり、購入者が消耗品等単独で購入したい場合に使用するものである。
【００１２】
そして、上記セット消耗品等データベース１２、１４、１６、・・と一般消耗品等データベース２０はデータ管理手段３０で連結されている。
【００１３】
上記のように構成した本実施例の作用を図２のフローチャートに基づいて説明する。本実施例は次のステップから構成されている。
（１）コンピュータ等の購入者端末２の画面に表れた販売者の商品表示から商品のリストを選択し、購入者が１個の商品を選択するステップ（ステップ１）。
（２）ステップ１で購入した商品に関連する消耗品等を選択して購入するステップ（ステップ２）。
この場合、ホームページの画面１０は図３に示すように構成されていて、画面上に各セット消耗品等が列挙されている。
例えばケーブル１００では、商品名１０４と写真１０３のほかに、購入チェック欄１０１と個数欄１０２が備えてあり、カラーリボン２００の場合にも商品名２０４と写真２０３のほかに、購入チェック欄２０１と個数欄２０２が備えてある。
購入者は、上記購入チェック欄１０１、２０１にチェックをつけて購入の意志表示をし、さらに個数欄１０２、２０２に購入個数を選択する。なお、購入しない商品についてはチェックを消せばよい。
（３）商品とセット消耗品等の購入を決定した後、画面の指示に従って自己の氏名、住所、電話番号並びに代金決済方法等を記入する（ステップ３）。
（４）その後、上記一連の記入事項がまとめて表示され、それで良ければ確認をする（ステップ４）。
この確認指示がネットワークを経由して販売者コンピュータ１に送られ購入データとして保存される。そして、この購入データのうち必要なものがネットワークを経由して決済コンピュータ４あるいは配送コンピュータ３に送られる。
（５）その後、購入者から購入代金の決済が行なわれた後、その情報に基づいて配送センターから商品やセット消耗品等が購入者へ発送される（ステップ５）。なお、この配送は販売者が直接行なうこともできる。
【００１４】
一方、単独に消耗品等のみを購入する場合には、次のステップによる。
（１）スタートから一般消耗品等のリストを選択して所望の消耗品等を選択する（ステップ２０）。
（２）その後、上記ステップ３からステップ４、ステップ５へと進む。
【００１５】
上記のようにセット消耗品等データベース１２、１４、１６、・・と一般消耗品等データベース２０はデータ管理手段３０で連結されている。
このデータ管理手段３０は上記各データベースに蓄積されたセット消耗品等と一般消耗品等の購入データを解析して、一定期間の販売個数が一定数量以下のセット消耗品等を一般消耗品等データベースに移動する。
これとは反対に一般消耗品等データベースに蓄積された一般消耗品等の購入データを解析して、一定期間の販売個数が一定数量以上の一般消耗品等をセット消耗品等データベースに移動する。
これにより、購入者に最も好まれている消耗品等が商品とリンクされてセット消耗品等データベースに提示され、かつ売れない消耗品等をセット消耗品等データベースから除くことができるため、いわゆる売れ筋商品が常に購入者へ提示されることになり、購入者へのサービスを向上させると共に消耗品等の販売促進にも寄与するのである。
【図面の簡単な説明】
【００１６】
【図１】本発明の商品販売システムの一実施例を示すブロック図
【図２】本発明の商品販売システムの一実施例を示すフローチャート
【図３】購入者端末に表示される消耗品等の一例を示す説明図
【符号の説明】
【００１７】
１  販売者コンピュータ
２  購入者端末
３  配送コンピュータ
４  決済コンピュータ
５  ネットワーク
１０  ホームページの画面
１１  商品データベース
１３  商品データベース
１５  商品データベース
１２  セット消耗品等データベース
１４  セット消耗品等データベース
１６  セット消耗品等データベース
２０  一般消耗品等データベース
３０  データ管理手段
【図１】
2005322147.tif 000003
【図２】
2005322147.tif 000004
【図３】
2005322147.tif 000005